(57)【要約】【課題】省スペース化を図りつつ複数のフォトダイオードの積層構造を実現することが可能な固体撮像素子を提供する。【解決手段】固体撮像素子は、互いに対向する第１面と第２面とを有する半導体層と、半導体層内に積層された複数のフォトダイオードとを備え、複数のフォトダイオードのうちの少なくとも１つのフォトダイオードが、他のフォトダイオードに蓄積された電荷の転送経路を兼ねているものである。【選択図】図２
2015146364.tif 000002
【特許請求の範囲】
【請求項１】
互いに対向する第１面と第２面とを有する半導体層と、
前記半導体層内に積層された複数のフォトダイオードと
を備え、
前記複数のフォトダイオードのうちの少なくとも１つのフォトダイオードが、他のフォトダイオードに蓄積された信号電荷の転送経路を兼ねている
固体撮像素子。
【請求項２】
前記半導体層内に埋設された配線層を更に備えた
請求項１に記載の固体撮像素子。
【請求項３】
前記複数のフォトダイオードは、前記第１面の側から順に積層された第１のフォトダイオードと第２のフォトダイオードとを含み、
前記半導体層内に埋設され、前記第１のフォトダイオードから前記第２のフォトダイオードへ信号電荷を転送するためのトランジスタを更に備え、
前記トランジスタのゲートが前記配線層に電気的に接続されている
請求項２に記載の固体撮像素子。
【請求項４】
前記配線層の、前記第１および第２のフォトダイオードのそれぞれに対向する部分には、層間絶縁膜が形成されている
請求項３に記載の固体撮像素子。
【請求項５】
前記複数のフォトダイオードは、前記第１面の側から順に積層された第１のフォトダイオードと第２のフォトダイオードとを含み、
前記第１のフォトダイオードと前記第２のフォトダイオードとの間においてポテンシャル障壁を形成する分離層を更に備え、
前記配線層は、前記分離層と同層に、かつ前記分離層を絶縁膜を介して囲むように、形成されている
請求項２に記載の固体撮像素子。
【請求項６】
前記複数のフォトダイオードは、前記第１面の側から順に積層された第１のフォトダイオードと第２のフォトダイオードとを含み、
前記第１のフォトダイオードと前記第２のフォトダイオードとの間においてポテンシャル障壁を形成する分離層を更に備え、
前記半導体層は、
前記第１のフォトダイオードを含む第１の半導体層と、
前記第２のフォトダイオードを含む第２の半導体層とを有し、
前記第１の半導体層と前記第２の半導体層とは互いに電気的に絶縁されて積層されている
請求項１に記載の固体撮像素子。
【請求項７】
前記複数のフォトダイオードは、３つ以上のフォトダイオードを含む
請求項１に記載の固体撮像素子。
【請求項８】
前記半導体層の前記第１面の上にカラーフィルタを備え、
前記複数のフォトダイオードはそれぞれ、互いに同一の波長を光電変換するものである
請求項１に記載の固体撮像素子。
【請求項９】
前記複数のフォトダイオードのうちの前記第２面に最も近い領域に設けられた第３のフォトダイオードへの入射光を遮断する遮光膜を更に備えた
請求項１に記載の固体撮像素子。
【請求項１０】
前記複数のフォトダイオードは、
前記第１面の側から順に、青色光に対応する信号電荷を得るためのフォトダイオードと、緑色光に対応する信号電荷を得るためのフォトダイオードと、赤色光に対応する信号電荷を得るためのフォトダイオードとを含む
請求項１に記載の固体撮像素子。
【請求項１１】
前記複数のフォトダイオードは、前記赤色光に対応する信号電荷を得るためのフォトダイオードよりも前記第２面側に、赤外光を光電変換するフォトダイオードを更に含む
請求項１０に記載の固体撮像素子。
【請求項１２】
互いに対向する第１面および第２面を有する半導体層内に積層された複数のフォトダイオードにおいて、少なくとも１つのフォトダイオードを経由して、他のフォトダイオードの信号電荷を転送し、
前記複数のフォトダイオードのうち、前記半導体層の前記第２面に最も近い領域に形成されたフォトダイオードを介して信号電荷を読み出す
固体撮像素子の駆動方法。
【請求項１３】
前記複数のフォトダイオードは、前記半導体層の前記第１面の側から順に積層された第１のフォトダイオードと第２のフォトダイオードとを含み、
前記半導体層内に埋設されたトランジスタを電圧制御することにより、前記第１のフォトダイオードから前記第２のフォトダイオードへ信号電荷を転送する
請求項１２に記載の固体撮像素子の駆動方法。
【請求項１４】
前記複数のフォトダイオードは、前記半導体層の前記第１面の側から順に積層された第１のフォトダイオードと第２のフォトダイオードとを含み、
前記第１のフォトダイオードと前記第２のフォトダイオードとの間に、ポテンシャル障壁を形成する分離層と、この分離層を絶縁膜を介して囲む配線層とが設けられ、
前記配線層への電圧印加により、前記第１のフォトダイオードから前記第２のフォトダイオードへ信号電荷を転送する
請求項１２に記載の固体撮像素子の駆動方法。
【請求項１５】
前記複数のフォトダイオードは、前記半導体層の前記第１面の側から順に積層された第１のフォトダイオードと第２のフォトダイオードとを含み、
前記第１のフォトダイオードと前記第２のフォトダイオードとの間に、ポテンシャル障壁を形成する分離層が設けられ、
前記半導体層のうちの前記第１のフォトダイオードを含む第１の半導体層と、前記第２のフォトダイオードを含む第２の半導体層とをそれぞれ個別に電圧制御することにより、前記第１のフォトダイオードから前記第２のフォトダイオードへ信号電荷を転送する
請求項１２に記載の固体撮像素子の駆動方法。
【請求項１６】
前記複数のフォトダイオードはそれぞれ、互いに同一の波長を光電変換するものであり、
各フォトダイオード間の電荷転送と同時に、前記第２面に最も近い領域に形成された第３のフォトダイオードからフローティングディフュージョンへの電荷転送を行う
請求項１２に記載の固体撮像素子の駆動方法。
【請求項１７】
前記回路形成面に最も近い領域に形成された第３のフォトダイオードに、前記複数のフォトダイオードにおいて生じた全ての信号電荷を一時的に保持させ、
前記第３のフォトダイオードに保持された信号電荷をフローティングディフュージョンへ転送する
請求項１２に記載の固体撮像素子の駆動方法。
【請求項１８】
前記複数のフォトダイオードは、前記光入射面からの距離に応じて互いに異なる波長を光電変換するものであり、
前記半導体層の前記第２面に近い側から順次、各フォトダイオードの信号電荷を読み出し、
それぞれのフォトダイオードの信号電荷を読み出す際には、
前記第２面に向かって、他のフォトダイオードを経由して電荷転送を行い、
前記第２面に最も近い領域に形成されたフォトダイオードを通じて信号電荷を読み出す
請求項１２に記載の固体撮像素子の駆動方法。
【請求項１９】
半導体層を形成する工程と、
前記半導体層内に積層された複数のフォトダイオードを形成する工程と
を含み、
前記複数のフォトダイオードのうちの少なくとも１つのフォトダイオードが、他のフォトダイオードに蓄積された信号電荷の転送経路を兼ねている
固体撮像素子の製造方法。
【請求項２０】
前記半導体層を、エピタキシャル成長により段階的に形成する
請求項１９に記載の固体撮像素子の製造方法。
【請求項２１】
前記半導体層を、貼り合わせにより形成する
請求項１９に記載の固体撮像素子の製造方法。
【請求項２２】
互いに対向する第１面と第２面とを有する半導体層と、
前記半導体層内に積層された複数のフォトダイオードと
を備え、
前記複数のフォトダイオードのうちの少なくとも１つのフォトダイオードが、他のフォトダイオードに蓄積された信号電荷の転送経路を兼ねている
固体撮像素子を有する電子機器。
【発明の詳細な説明】
【技術分野】
【０００１】
本開示は、例えばＣＣＤ（Charge Coupled Device）あるいはＣＭＯＳ（Complementary Metal Oxide Semiconductor）イメージセンサなどに用いられる固体撮像素子、固体撮像素子の駆動方法、固体撮像素子の製造方法および電子機器に関する。
【背景技術】
【０００２】
ＣＣＤあるいはＣＭＯＳイメージセンサなどに用いられる固体撮像素子において、フォトダイオード（ＰＤ）から信号電荷を読み出すためのスイッチング素子として、いわゆる縦型トランジスタが実用化されている。
【０００３】
縦型トランジスタは、シリコン（Ｓｉ）などの半導体基板の深さ（厚み）方向に埋め込まれた電極（ゲート電極）を有している。この縦型トランジスタを用いることで、半導体基板内の奥深い領域に存在するフォトダイオードからも信号電荷を読み出すことができる。また、フォトダイオードの表面電界を緩和することができる。更に、複数のフォトダイオードを積層することが可能となることから、画素の飽和容量を増やすことができる。
【０００４】
例えば、特許文献１には、半導体基板内に２つのフォトダイオードを積層し、各フォトダイオードに対して、上記のような縦型トランジスタをそれぞれ設けた構造が提案されている。この構造では、各フォトダイオードの信号電荷が、対応する縦型トランジスタを介して個別に読み出される。
【先行技術文献】
【特許文献】
【０００５】
【特許文献１】特開２０１２−１９９４８９号公報
【発明の概要】
【発明が解決しようとする課題】
【０００６】
しかしながら、上記特許文献１のように、半導体基板内に複数のフォトダイオードを積層させる場合、フォトダイオードの個数分の縦型トランジスタが設けられる。このため、特に３つ以上のフォトダイオードを積層させる場合などには、縦型トランジスタを設置するためのスペースが大きくなる。また、回路形成面から最深部のフォトダイオードまでゲート電極が達するように縦型トランジスタを形成することは容易ではなく、実現性に乏しい。
【０００７】
本開示はかかる問題点に鑑みてなされたもので、その目的は、省スペース化を図りつつ複数のフォトダイオードの積層構造を実現することが可能な固体撮像素子、固体撮像素子の駆動方法、固体撮像素子の製造方法および電子機器を提供することにある。
【課題を解決するための手段】
【０００８】
本開示の固体撮像素子は、互いに対向する第１面と第２面とを有する半導体層と、半導体層内に積層された複数のフォトダイオードとを備え、複数のフォトダイオードのうちの少なくとも１つのフォトダイオードが、他のフォトダイオードに蓄積された信号電荷の転送経路を兼ねているものである。
【０００９】
本開示の固体撮像素子では、半導体層内に積層された複数のフォトダイオードのうちの少なくとも１つが、他のフォトダイオードの信号電荷の転送経路を兼ねることにより、信号電荷を読み出すためのトランジスタを、各フォトダイオードから第２面まで延在して設けずに済む。したがって、トランジスタの設置スペースを削減することができる。また、半導体層を深く掘り込まずに済むと共に、トランジスタによる転送距離が短縮されることから、設計困難性が低くなる。
【００１０】
本開示の固体撮像素子の駆動方法は、互いに対向する第１面および第２面を有する半導体層内に積層された複数のフォトダイオードにおいて、少なくとも１つのフォトダイオードを経由して、他のフォトダイオードの信号電荷を転送し、複数のフォトダイオードのうち、半導体層の第２面に最も近い領域に形成されたフォトダイオードを介して信号電荷を読み出すものである。
【００１１】
本開示の固体撮像素子の駆動方法では、半導体層内に積層された複数のフォトダイオードのうち少なくとも１つのフォトダイオードを経由して、他のフォトダイオードの信号電荷を転送する。複数のフォトダイオードのうち、半導体層の第２面に最も近い領域に形成されたフォトダイオードを介して信号電荷を読み出す。これにより、固体撮像素子において、信号電荷を読み出すためにトランジスタを各フォトダイオードから第２面まで延在して設けずに済む。したがって、トランジスタの設置スペースを削減することができる。また、半導体層を深く掘り込まずに済むと共に、トランジスタによる転送距離が短縮されることから、設計困難性が低くなる。
【００１２】
本開示の固体撮像素子の製造方法は、半導体層を形成する工程と、半導体層内に複数のフォトダイオードを積層して形成する工程とを含み、複数のフォトダイオードのうちの少なくとも１つのフォトダイオードが、他のフォトダイオードに蓄積された信号電荷の転送経路を兼ねているものである。
【００１３】
本開示の固体撮像素子の製造方法では、半導体層内に複数のフォトダイオードを積層し、それらのうちの少なくとも１つが、他のフォトダイオードの信号電荷の転送経路を兼ねることで、信号電荷を読み出すためのトランジスタを、各フォトダイオードから半導体層の第２面まで延在して設けずに済む。したがって、トランジスタの設置スペースを削減することができる。また、半導体層を深く掘り込まずに済むと共に、トランジスタによる転送距離が短縮されることから、設計困難性が低くなる。
【００１４】
本開示の電子機器は、上記本開示の固体撮像素子を有するものである。
【発明の効果】
【００１５】
本開示の固体撮像素子および電子機器によれば、半導体層内に積層された複数のフォトダイオードのうちの少なくとも１つが、他のフォトダイオードの信号電荷の転送経路を兼ねることにより、トランジスタの設置スペースを削減すると共に、設計難易度を低くすることができる。よって、省スペース化を図りつつ複数のフォトダイオードの積層構造を実現することが可能となる。
【００１６】
本開示の固体撮像素子の駆動方法によれば、半導体層内に積層された複数のフォトダイオードのうち少なくとも１つのフォトダイオードを経由して、他のフォトダイオードの信号電荷を転送する。そして、複数のフォトダイオードのうち、半導体層の第２面に最も近い領域に形成されたフォトダイオードを介して信号電荷を読み出すようにしたので、固体撮像素子において、トランジスタの設置スペースを削減すると共に、設計難易度を低くすることができる。よって、省スペース化を図りつつ複数のフォトダイオードの積層構造を有する固体撮像素子を実現可能となる。
【００１７】
本開示の固体撮像素子の製造方法によれば、半導体層内に複数のフォトダイオードを積層し、それらのうちの少なくとも１つが、他のフォトダイオードの信号電荷の転送経路を兼ねるようにしたので、トランジスタの設置スペースを削減すると共に、設計難易度を低くすることが可能となる。よって、省スペース化を図りつつ複数のフォトダイオードの積層構造を有する固体撮像素子を実現可能となる。
【００１８】
尚、上記内容は本開示の一例である。本開示の効果は、上述したものに限らず、他の異なる効果であってもよいし、更に他の効果を含んでいてもよい。
【図面の簡単な説明】
【００１９】
【図１】本開示の第１の実施形態に係る固体撮像素子の全体構成を表す機能ブロック図である。
【図２】図１に示した画素部の要部構成を表す断面図である。
【図３Ａ】図２のＩ−Ｉ線に対応する断面図である。
【図３Ｂ】図２のII−II線に対応する断面図である。
【図３Ｃ】図２のIII−III線に対応する断面図である。
【図４】図２に示した配線層の平面レイアウトの一例を表す模式図である。
【図５】図２に示した画素部の製造方法の一例を説明するための断面図である。
【図６】図５に続く工程を説明するための断面図である。
【図７】図６に続く工程を説明するための断面図である。
【図８】図７に続く工程を説明するための断面図である。
【図９】図８に続く工程を説明するための断面図である。
【図１０】図９に続く工程を説明するための断面図である。
【図１１】図１０に続く工程を説明するための断面図である。
【図１２】図１１に続く工程を説明するための断面図である。
【図１３】図１２に続く工程を説明するための断面図である。
【図１４】図１３に続く工程を説明するための断面図である。
【図１５】図１４に続く工程を説明するための断面図である。
【図１６】図２に示した半導体層の深さ方向におけるポテンシャルエネルギーを表す模式図である。
【図１７】図２に示した画素の駆動動作（信号電荷読み出し動作）について説明するための断面模式図である。
【図１８】比較例に係る画素部の構造を表す断面図である。
【図１９】変形例１に係る画素部の製造方法の一例を説明するための断面図である。
【図２０】図１９に続く工程を説明するための断面図である。
【図２１】図２０に続く工程を説明するための断面図である。
【図２２】図２１に続く工程を説明するための断面図である。
【図２３】図２２に続く工程を説明するための断面図である。
【図２４】図２３に続く工程を説明するための断面図である。
【図２５】図２４に続く工程を説明するための断面図である。
【図２６】図２５に続く工程を説明するための断面図である。
【図２７】図２６に続く工程を説明するための断面図である。
【図２８】本開示の第２の実施形態に係る固体撮像素子の画素部の要部構成を表す断面図である。
【図２９Ａ】図２８のＩ−Ｉ線に対応する断面図である。
【図２９Ｂ】図２８のII−II線に対応する断面図である。
【図２９Ｃ】図２８のIII−III線に対応する断面図である。
【図３０】図２８に示した画素の駆動動作（信号電荷読み出し動作）について説明するための断面模式図である。
【図３１】本開示の第３の実施形態に係る固体撮像素子の画素部の要部構成を表す断面図である。
【図３２】図３１に示した半導体層の深さ方向におけるポテンシャルエネルギーを表す模式図である。
【図３３】本開示の第４の実施形態に係る固体撮像素子の画素部の要部構成を表す断面図である。
【図３４】図３３に示した画素の駆動動作（信号電荷読み出し動作）について説明するための断面模式図である。
【図３５】図３３に示した半導体層の深さ方向におけるポテンシャルエネルギーを表す模式図である。
【図３６】図３３に示した各縦型トランジスタのゲート電圧のパルス波形の一例を表す図である。
【図３７】本開示の第５の実施形態に係る固体撮像素子の画素部の要部構成を表す断面図である。
【図３８】図３７に示した半導体層の深さ方向におけるポテンシャルエネルギーを表す模式図である。
【図３９】図３７に示した各縦型トランジスタのゲート電圧のパルス波形の一例を表す図である。
【図４０】本開示の第６の実施形態に係る固体撮像素子の画素部の要部構成を表す断面図である。
【図４１】図４０に示した半導体層の深さ方向におけるポテンシャルエネルギーを表す模式図である。
【図４２】図４０に示した各縦型トランジスタのゲート電圧のパルス波形の一例を表す図である。
【図４３】変形例２に係る固体撮像素子の画素部の要部構成を表す断面図である。
【図４４】適用例に係る電子機器の概略構成を表すブロック図である。
【発明を実施するための形態】
【００２０】
以下、本開示における実施形態について、図面を参照して詳細に説明する。なお、説明する順序は、下記の通りである。
１．第１の実施形態（半導体層内に、縦型トランジスタおよび配線層が埋設された固体撮像素子の例）
２．変形例１（基板貼り合わせによりフォトダイオードを積層させる場合の製造方法の例）
３．第２の実施の形態（縦型トランジスタを用いずに、フォトダイオード間の分離層（拡散層）を利用して電荷転送を行う固体撮像素子の例）
４．第３の実施の形態（縦型トランジスタを用いずに、半導体層自体を電圧制御することでフォトダイオード間の電荷転送を行う固体撮像素子の例）
５．第４の実施形態（複数のフォトダイオードにおいて同一波長の光電変換を行い、ダイナミックレンジ拡大機能を実現する固体撮像素子の例）
６．第５の実施形態（複数のフォトダイオードの１つをメモリーとして使用し、グローバルシャッタ機能を実現する固体撮像素子の例）
７．第６の実施形態（複数のフォトダイオードにおいて互いに異なる波長（Ｒ，Ｇ，Ｂ）の光電変換を行う、縦分光型の固体撮像素子の例）
８．変形例２（赤外光を光電変換するフォトダイオードを加えた縦分光型の固体撮像素子の例）
９．適用例（電子機器（カメラ）の例）
【００２１】
＜第１の実施の形態＞
［構成］
図１は、本開示の第１の実施形態の固体撮像素子（固体撮像素子１）の全体構成を表したものである。固体撮像素子１は、例えばＣＣＤまたはＣＭＯＳイメージセンサなどである。この固体撮像素子１は、例えば、撮像エリアとしての画素部１ａと、行走査部１３１、水平選択部１３３、列走査部１３４およびシステム制御部１３２を含む回路部１３０とを有している。
【００２２】
画素部１ａは、例えば行列状に２次元配置された複数の画素Ｐを有している。この画素Ｐには、例えば画素行ごとに画素駆動線Ｌread（具体的には行選択線およびリセット制御線）が配線され、画素列ごとに垂直信号線Ｌsigが配線されている。画素駆動線Ｌreadは、画素からの信号読み出しのための駆動信号を伝送するものである。画素駆動線Ｌreadの一端は、行走査部１３１の各行に対応した出力端に接続されている。画素部１ａの詳細構成については後述する。
【００２３】
回路部１３０は、画素部１ａと同一の基板上に形成されていてもよいが、例えば画素部１ａと積層化されており、例えば回路部１３０が形成されたチップの上に重ねて画素部１ａが形成されている。行走査部１３１は、シフトレジスタやアドレスデコーダ等によって構成され、画素部１ａの各画素Ｐを、例えば行単位で駆動する画素駆動部である。行走査部１３１によって選択走査された画素行の各画素Ｐから出力される信号は、垂直信号線Ｌsigの各々を通して水平選択部１３３に供給される。水平選択部１３３は、垂直信号線Ｌsigごとに設けられたアンプや水平選択スイッチ等によって構成されている。列走査部１３４は、シフトレジスタやアドレスデコーダ等によって構成され、水平選択部１３３の各水平選択スイッチを走査しつつ順番に駆動するものである。この列走査部１３４による選択走査により、垂直信号線Ｌsigの各々を通して伝送される各画素の信号が順番に水平信号線１３５に出力され、当該水平信号線１３５を通して基板１１の外部へ伝送される。
【００２４】
システム制御部１３２は、外部から与えられるクロックや、動作モードを指令するデータなどを受け取り、また、固体撮像素子１の内部情報などのデータを出力するものである。システム制御部１３２はさらに、各種のタイミング信号を生成するタイミングジェネレータを有し、当該タイミングジェネレータで生成された各種のタイミング信号を基に行走査部１３１、水平選択部１３３および列走査部１３４などの駆動制御を行う。
【００２５】
図２は、画素部１ａの要部の断面構成を表したものである。尚、図２では、画素部１ａのうちの２つの画素Ｐに相当する領域を示している。また、以下では、裏面照射型の素子構造を例に挙げて説明するが、本開示内容は表面照射型の素子構造にも適用可能である。
【００２６】
画素部１ａでは、例えばシリコン（Ｓｉ）よりなる半導体層（または半導体基板）１０内に、複数のフォトダイオード（ここでは２つのフォトダイオードＰＤ１，ＰＤ２）が厚み方向に沿って積層されている。この半導体層１０は、互いに対向する回路形成面Ｓ１（第２面）と光入射面Ｓ２（第１面）とを有しており、光入射面Ｓ２側の一部が第１半導体層１１、回路形成面Ｓ１側の一部が第２半導体層２１となっている。これらの第１半導体層１１と第２半導体層２１とは、例えばエピタキシャル成長を用いて段階的に形成されたものである（後述）。あるいは、第１半導体層１１と第２半導体層２１とは、それぞれ個別に形成された後に貼り合わせられたものであってもよい。
【００２７】
半導体層１０の回路形成面Ｓ１には、フォトダイオードＰＤ１，ＰＤ２から信号読み出しを行うためのスイッチング素子としての縦型トランジスタ２３と、ＦＤ（フローティングディフュージョン）２４とが形成されている。尚、回路形成面Ｓ１には、この他にも、図示しないリセットトランジスタ、増幅トランジスタ、選択トランジスタおよびロジック回路等が形成されている。また、この回路形成面Ｓ１上に、図示しない多層配線層が設けられている。
【００２８】
縦型トランジスタ２３は、フォトダイオードＰＤ２に蓄積（または保持）された信号電荷をＦＤ２４へ転送するためのもの（詳細には、電荷転送用のゲート電極）である。この縦型トランジスタ２３は、第２半導体層２１に掘り込まれた溝に埋め込み形成され、例えばｎ型またはｐ型の不純物がドープされたポリシリコン等により構成されている。縦型トランジスタ２３の側面にはシリコン酸化膜などの絶縁膜（図示せず）が形成されている。この縦型トランジスタ２３を電圧制御することにより、電荷転送時には、縦型トランジスタ２３（ゲート）の側面近傍にチャネルが形成され、これに近接するフォトダイオードＰＤ２がソース、ＦＤ２４がドレインとなる。尚、本実施の形態では、縦型トランジスタ２３を用いてＦＤ２４への電荷転送を行う場合を例示するが、本開示はこれに限定されない。即ち、ＦＤへの転送用のトランジスタ（ゲート）は半導体層上に形成されていてもよい（ゲートが埋め込まれていなくともよい）。
【００２９】
半導体層１０の光入射面Ｓ２上には、オンチップレンズ３１とカラーフィルタ３２とが形成されている。本実施の形態では、１つの画素Ｐに、例えばＲ（赤），Ｇ（緑），Ｂ（青）のいずれかの色のカラーフィルタ３２が設けられている。また、半導体層１０の光入射面Ｓ２上には、必要に応じて、平坦化膜等が形成されていてもよい。
【００３０】
フォトダオードＰＤ１は、第１半導体層１１内に形成され、フォトダイオードＰＤ２は第２半導体層２１内に形成されている。これらのフォトダイオードＰＤ１，ＰＤ２はそれぞれ、ｐｎ接合を有する光電変換素子である。フォトダイオードＰＤ１は、例えば光入射側から順に、ｎ型不純物拡散層１２ａとｐ型不純物拡散層１２ｂとが積層されて構成されている。これらのうち、ｎ型不純物拡散層１２ａは、例えばｐ型不純物拡散層１２ｂとの界面付近において最も不純物濃度が高く、光入射面Ｓ２に向かって徐々に濃度が減少するような濃度勾配を有している。ここでは、光電変換により発生した信号電荷（電子）がｎ型不純物拡散層１２ａに蓄積される。フォトダイオードＰＤ２についても同様で、例えば光入射側から順に、ｎ型不純物拡散層２２ａとｐ型不純物拡散層２２ｂとが積層されて構成されている。これらのうち、ｎ型不純物拡散層２２ａは、例えばｐ型不純物拡散層２２ｂとの界面付近において最も不純物濃度が高く、光入射面Ｓ２に向かって徐々に濃度が減少するような濃度勾配を有している。また、光電変換により発生した信号電荷（電子）がｎ型不純物拡散層２２ａに蓄積される。尚、フォトダイオードＰＤ１が、本開示の「第１のフォトダイオード」の一具体例に相当し、フォトダイオードＰＤ２が、本開示の「第２のフォトダイオード」の一具体例に相当する。
【００３１】
本実施の形態では、詳細は後述するが、フォトダイオードＰＤ２が、フォトダイオードＰＤ１の信号電荷の電荷転送経路を兼ねている。つまり、フォトダイオードＰＤ２１に蓄積された信号電荷は、フォトダイオードＰＤ２を通って、ＦＤ２４へ読み出されるようになっている。
【００３２】
この半導体層１０内には、縦型トランジスタ１６と配線層１４とが埋設されている。図３Ａ〜図３Ｃに、これらの縦型トランジスタ１６および配線層１４の近傍領域の断面構成を模式的に示す。但し、図３Ａは図２のＩ−Ｉ線、図３Ｂは図２のII−II線、図３Ｃは図２のIII−III線に相当する断面の構成を示す。
【００３３】
縦型トランジスタ１６は、フォトダイオードＰＤ１の一部とフォトダイオードＰＤ２の一部とに近接して設けられ、これらのフォトダイオードＰＤ１，ＰＤ２間の電荷転送を行うためのもの（詳細には電荷転送用のゲート電極）である。縦型トランジスタ１６は、半導体層１０内に全てが埋め込まれている。また、回路形成面Ｓ１まで届くように形成される必要はなく、ｎ型不純物拡散層１２ａの一部とｎ型不純物拡散層１２ｂの一部とに近接可能な程度の長さ（厚み）を有していればよい。この縦型トランジスタ１６は、上記縦型トランジスタ２３と同様、例えばポリシリコン等により構成され、その側面にはシリコン酸化膜などの絶縁膜（図示せず）が形成されている。これにより、電荷転送時（フォトダイオードＰＤ１に蓄積された信号電荷の転送時）には、縦型トランジスタ１６（ゲート）の側面近傍にチャネルが形成され、フォトダイオードＰＤ１がソース、フォトダイオードＰＤ２がドレインとなる。尚、本実施の形態の縦型トランジスタ１６が、本開示における「トランジスタ」の一具体例に相当する。
【００３４】
配線層１４は、縦型トランジスタ１６に電気的に接続され、縦型トランジスタ１６に電圧を供給するための配線であり、いわゆるジャンクションリークを抑制するために、例えばポリシリコンにより構成されることが望ましい。この配線層１４は、半導体層１０内のうちの、例えば第１半導体層１１と第２半導体層２１との間の領域に形成されている。図４に、配線層１４の平面レイアウトの一例を示す。このように、配線層１４は、半導体層１４内において、例えば全体が格子状となるように形成されており、例えば端部に設けられたＴＣＶ（Through CIS Via）１１１を通じて回路形成面Ｓ１側に引き出され、回路部１３０へ接続されている。但し、配線層１４の平面レイアウトはこれに限らず、例えばストライプ状であってもよい。
【００３５】
フォトダイオードＰＤ１とフォトダイオードＰＤ２との間には、そのような配線層１４を挟むように、層間絶縁膜１３，１５が形成されている。
【００３６】
層間絶縁膜１３，１５はいずれも、例えばフォトダイオードＰＤ１，ＰＤ２と対向するように形成されている。これらの層間絶縁膜１３，１５は、例えば信号電荷が配線層１４を伝って逃げることを抑制する機能を有すると共に、配線層１４への電圧印加によって半導体層１０自体の電圧変動を抑制する機能を有している。この層間絶縁膜１３，１５は、例えばＳｉＯ2あるいは、より誘電率の低いLow-k材料（例えばＳｉＯＣ等）により構成されている。尚、これらの層間絶縁膜１３，１５は、互いに同じパターン形状で形成されていてもよいし、互いに異なる形状で形成されていてもよい。
【００３７】
［製造方法］
図５〜図１５は、図２に示した画素部１ａの製造方法（固体撮像素子１の製造方法）について説明するための断面構成を表したものである。上記画素部１Ａは、例えば次のようにして製造することができる。
【００３８】
即ち、まず図５に示したように、例えばシリコン基板などの第１半導体層１１内の所定の領域に、例えばイオンインプラ法により不純物を打ち込み、フォトダイオードＰＤ１を形成する。
【００３９】
次に、図６に示したように、フォトダイオードＰＤ１上に、上述した材料などよりなる層間絶縁膜１３を形成する。続いて、図７に示したように、第１半導体層１１の表面に、エピタキシャル成長によりアモルファスシリコン層を成膜した後、熱処理を行い、Ｓｉ層１１０Ａを形成する。この後、図８に示したように、平坦化処理を行い、Ｓｉ層１１０Ａのうちの層間絶縁膜１３上に成長した部分を除去する。
【００４０】
続いて、図９に示したように、例えばポリシリコンからなる配線層１４を形成する。この際、層間絶縁膜１３およびＳｉ層１１０Ａのうちの選択的な領域を、例えば溝状にエッチングし、そのエッチングした領域にポリシリコンを成膜する。
【００４１】
次に、図１０に示したように、上述した材料などよりなる層間絶縁膜１５を配線層１４上に形成する。続いて、図１１に示したように、エピタキシャル成長により、Ｓｉ層１１０Ｂを形成する。この際のエピタキシャル成長は、配線層１４および層間絶縁膜１５から露出したＳｉ層１１０Ａを種とすることができる。
【００４２】
続いて、図１２に示したように、縦型トランジスタ１６を形成する。具体的には、形成したＳｉ層１１０Ｂ，１１０Ａを貫通して、かつ配線層１４の一部を切り欠くように、第１半導体層１１の所定の深さの位置まで、例えばエッチングにより溝を形成する。この溝の側面に絶縁膜等を成膜した後、この溝を埋め込むように例えばポリシリコン等を成膜することにより、縦型トランジスタ１６を形成する。
【００４３】
次に、図１３に示したように、Ｓｉ層１１０Ｂを種としたエピタキシャル成長により第２半導体層２１を形成する。この後、図１４に示したように、第２半導体層２１内の所定の領域に、例えばイオンインプラ法により不純物を打ち込み、フォトダイオードＰＤ２を形成する。
【００４４】
最後に、図１５に示したように、第２半導体層２１の表層に、縦型トランジスタ２３を形成すると共に、例えばイオンインプラ法によりＦＤ２４を形成する。このようにして、図２に示した画素部１ａを形成することができる。
【００４５】
尚、積層するフォトダイオードの数が３つ以上の場合には、図５〜図１４の工程の後、縦型トランジスタ２３およびＦＤ２４を形成する前に、図６〜図１４に示した工程を繰り返し行えばよい。
【００４６】
［作用・効果］
上記のような固体撮像素子１では、画素部１ａ入射した光は、画素Ｐ毎にオンチップレンズ３１およびカラーフィルタ３２を透過した後、フォトダイオードＰＤ１，ＰＤ２において光電変換される。フォトダイオードＰＤ１，ＰＤ２のそれぞれにおいて発生した電子および正孔のうち一方（例えば電子）が、ｎ型不純物拡散層１２ａ，２２ａのそれぞれに、信号電荷として蓄積される。蓄積された信号電荷は、所定のタイミングでＦＤ２４へ転送される。ＦＤ２４へ転送された信号電荷は、他の画素トランジスタ（増幅トランジスタおよび選択トランジスタ等）を介して、電圧信号として、垂直信号線Ｌsig（図１）に読み出される。尚、本開示における固体撮像素子の駆動方法は、以下に説明する信号読み出し動作によって具現化されるものである。
【００４７】
本実施の形態では、フォトダイオードＰＤ２がフォトダイオードＰＤ１の電荷転送経路を兼ねている。即ち、上記のような信号電荷の読み出し動作の際に、フォトダイオードＰＤ１において光電変換され、蓄積された信号電荷は、フォトダイオードＰＤ２を通って、ＦＤ２４へ転送される。一方、フォトダイオードＰＤ２において光電変換され、蓄積された信号電荷は、縦型トランジスタ２３によってＦＤ２４へ転送される。
【００４８】
図１６は、画素Ｐにおける深さ方向とポテンシャルエネルギーとの関係を模式的に表したものである。図１７は、信号電荷の読み出し動作を説明するための模式図である。本実施の形態では、フォトダイオードＰＤ１からフォトダイオードＰＤ２への電荷転送は、縦型トランジスタ１６を用いて行われ、フォトダイオードＰＤ２からＦＤ２４への電荷転送は、縦型トランジスタ２３を用いて行われる。
【００４９】
具体的には、フォトダイオードＰＤ１に蓄積された信号電荷ｅの読み出し動作の際には、縦型トランジスタ１６に、電圧供給源１４０から配線層１４を通じてオン電位が印加されることにより、縦型トランジスタ１６がオン状態とされる。これにより、縦型トランジスタ１６の側面近傍にチャネルが形成され、フォトダイオードＰＤ１，ＰＤ２間に電荷転送パスＲ１が形成される（ポテンシャル障壁ｈ１がなくなる）。これにより、フォトダイオードＰＤ１（具体的にはｎ型不純物拡散層１２ａ）に蓄積されていた信号電荷ｅが、フォトダイオードＰＤ２（具体的にはｎ型不純物拡散層２２ａ）へ転送される。これと同時に、縦型トランジスタ２３に、図示しない配線を通じてオン電位が印加され、縦型トランジスタ２３がオン状態とされると、縦型トランジスタ２３の側面近傍にチャネルが形成され、フォトダイオードＰＤ２とＦＤ２４との間に電荷転送パスＲ２が形成される（ポテンシャル障壁ｈ２がなくなる）。これにより、フォトダイオードＰＤ１に蓄積された信号電荷ｅが、フォトダイオードＰＤ２を通って、ＦＤ２４へ転送される。
【００５０】
一方、フォトダイオードＰＤ２に蓄積された信号電荷ｅの読み出し動作の際には、縦型トランジスタ２３に、図示しない配線を通じてオン電位が印加され、縦型トランジスタ２３がオン状態とされると、縦型トランジスタ２３の側面近傍にチャネルが形成され、フォトダイオードＰＤ２とＦＤ２４との間に電荷転送パスＲ２が形成される（ポテンシャル障壁ｈ２がなくなる）。
【００５１】
尚、フォトダイオードＰＤ１，ＰＤ２の各信号電荷の読み出し動作は、用途に応じて、同時に（一括して）行われてもよいし、時分割的に行われてもよい（詳細は後述）。例えば、フォトダイオードＰＤ１に蓄積された信号電荷と、フォトダイオードＰＤ２に蓄積された信号電荷とを、別々に読み出す場合には、フォトダイオードＰＤ２の信号読み出しを行った後に、フォトダイオードＰＤ１の信号読み出しを行えばよい。
【００５２】
（比較例）
図１８に、本実施の形態の比較例に係る画素部の断面構造を示す。一般に、半導体層１００内に、複数のフォトダイオード１０１Ａ，１０１Ｂを積層する場合、フォトダイオード１０１Ａ，１０１Ｂから個別に信号電荷を読み出すためには、それぞれに対応して縦型トランジスタ１０２ａ，１０２ｂが設置される。このため、例えば回路形成面Ｓ１において電極設置のためのスペースを要し、例えば画素の微細化が進むと、設計が困難となる。また、最深部のフォトダイオード（ここではフォトダイオード１０１Ａ）から信号電荷を読み出すためには、回路形成面Ｓ１からシリコンの奥深い位置に至るまで縦型トランジスタ１０２ａが形成されることになる。ところが、シリコンの深堀りが困難であること、あるいは縦型トランジスタ１０２ａによる転送距離が長くなること、等を考慮すると、設計難易度が高いものとなる。
【００５３】
これに対し、本実施の形態では、半導体層１０内に積層された複数のフォトダイオード（ＰＤ１，ＰＤ２）のうちの少なくとも１つ（ここでは、フォトダイオードＰＤ２）が、他のフォトダイオード（ここでは、フォトダイオードＰＤ１）の信号電荷の転送経路を兼ねる。これにより、信号電荷を読み出すためのトランジスタ（縦型トランジスタ１６）を、フォトダイオードＰＤ１から回路形成面Ｓ１まで到達するように延在して設けずに済む。したがって、トランジスタの設置スペースを削減することができる。また、製造プロセスにおいて半導体層１０を深く掘り込まずに済むと共に、縦型トランジスタ１６による転送距離が上記比較例に比べ短くなることから、設計難易度が低くなる。
【００５４】
以上説明したように本実施の形態では、半導体層１０内に積層された複数のフォトダイオード（ＰＤ１，ＰＤ２）のうちの少なくとも１つが、他のフォトダイオードの信号電荷の転送経路を兼ねるようにしたので、トランジスタの設置スペースを削減することができると共に、設計難易度を低くすることができる。よって、省スペース化を図りつつ複数のフォトダイオードの積層構造を実現することが可能となる。
【００５５】
また、このフォトダイオードの積層構造は、後述する様々な機能（例えばダイナミックレンジ拡大、縦分光、グローバルシャッタ駆動など）へ応用することができる。
【００５６】
＜変形例１＞
上記第１の実施の形態では、固体撮像素子の製造方法として、第１半導体層１１（半導体基板）上に、エピタキシャル成長により第２半導体層２１を形成する工程を含むものを例示したが、製造方法はこれに限定されるものではない。例えば、本変形例のように半導体基板同士の貼り合わせによって同様の素子構造を得ることもできる。図１９〜図２７は、本変形例の製造方法を説明するための断面構成を表したものである。
【００５７】
本変形例では、まず図１９に示したように、例えばシリコン基板などの第１半導体層１１内の所定の領域に、例えばイオンインプラ法により不純物を打ち込み、フォトダイオードＰＤ１を形成する。続いて、図２０に示したように、縦型トランジスタ１６の一部に相当する電極１６−１を形成する。
【００５８】
一方、図２１に示したように、例えばシリコン基板などの第２半導体層２１上に、層間絶縁膜１５を形成する。続いて、図２２に示したように、配線層１４を形成する。この後、図２３に示したように、層間絶縁膜１３を形成する。尚、ここでは、層間絶縁膜１３，１５および配線層１４は、上記第１の実施の形態のように、所定の形状にパターニングされる。続いて、図２４に示したように、縦型トランジスタ１６の一部に相当する電極１６−２を形成する。
【００５９】
これらの後、図２５に示したように、第１半導体層１１のフォトダイオードＰＤ１が形成されている面に、層間絶縁膜１３が向かい合うように、第２半導体層２１を貼り合わせる。この際、電極１６−１と電極１６−２とが互いに正対するように位置合わせがなされる。これにより、第１半導体層１１上に第２半導体層２１が積層されると共に、縦型トランジスタ１６が形成される。この後、図２６に示したように、第２半導体層２１の表面を研磨し、第２半導体層２１を所定の厚みにすると共に回路形成面Ｓ１を形成する。
【００６０】
次に、図２７に示したように、第２半導体層２１内の所定の領域に、例えばイオンインプラ法により不純物を打ち込み、フォトダイオードＰＤ２を形成する。
【００６１】
最後に、上記第１の実施の形態（図１５）同様にして、第２半導体層２１の表層に、縦型トランジスタ２３およびＦＤ２４を形成する。このようにして、画素部１ａを形成することもできる。
【００６２】
尚、積層するフォトダイオードの数が３つ以上の場合には、図１９〜図２７の工程の後、縦型トランジスタ２３およびＦＤ２４を形成する前に、図２０〜図２７に示した工程を繰り返し行えばよい。
【００６３】
次に、上記第１の実施の形態の固体撮像素子（画素部）の他の実施の形態について説明する。尚、上記第１の実施の形態と同様の構成要素については同一の符号を付し、適宜説明を省略する。
【００６４】
＜第２の実施の形態＞
［構成］
図２８は、本開示の第２の実施の形態に係る固体撮像素子の画素部の要部構成を表す断面図である。尚、本実施の形態の固体撮像素子では、画素部以外の回路部１３０等の構成については、上記第１の実施の形態と同様である。
【００６５】
本実施の形態においても、半導体層（または半導体基板）１０内に、複数のフォトダイオード（ここでは２つのフォトダイオードＰＤ１，ＰＤ２）が厚み方向に沿って積層されている。また、半導体層１０の回路形成面Ｓ１には、縦型トランジスタ２３と、ＦＤ２４とが形成されている。尚、図示しないが、光入射面Ｓ２には、上記第１の実施の形態と同様、オンチップレンズ３１およびカラーフィルタ３２等が形成されている。更に、本実施の形態においても、フォトダイオードＰＤ２が、フォトダイオードＰＤ１の信号電荷の電荷転送経路を兼ねており、フォトダイオードＰＤ２１に蓄積された信号電荷が、フォトダイオードＰＤ２を通って、ＦＤ２４へ転送されるようになっている。また、配線層１４が半導体層１０に埋設されている。
【００６６】
但し、本実施の形態では、上記第１の実施の形態と異なり、縦型トランジスタ１６が設けられておらず、フォトダイオードＰＤ１，ＰＤ２間の層構造を利用して、トランジスタを形成し、電荷転送を実現する。
【００６７】
具体的には、半導体層１０内において、フォトダイオードＰＤ１の直上にフォトダイオードＰＤ２が形成されている。即ち、フォトダイオードＰＤ１（詳細にはｎ型不純物半導体層１２ａ）と、フォトダイオードＰＤ２（詳細にはｎ型不純物拡散層２２ａ）とが、ｐ型不純物拡散層１２ｂ（分離層）を隔てて形成されている。本実施の形態では、このｐ型不純物拡散層１２ｂが、フォトダイオードＰＤ１，ＰＤ２間のポテンシャル障壁を形成している。図２８および図２９Ｂに示したように、ｐ型不純物拡散層１２ｂと同層に、かつｐ型不純物拡散層１２ｂを囲むように、配線層１４が設けられている。配線層１４と、ｐ型不純物拡散層１２ｂとの間隙には、シリコン酸化膜などの絶縁膜１７Ｂが形成されている。これにより、電荷転送時（フォトダイオードＰＤ１に蓄積された信号電荷の転送時）には、ｐ型不純物拡散層１２ｂがチャネルとなり、その周囲（絶縁膜１７Ｂの内側）に電荷転送パスが形成される。フォトダイオードＰＤ１がソース、フォトダイオードＰＤ２がドレインとなる。
【００６８】
尚、配線層１４の構成材料および平面レイアウトなどは、上記第１の実施の形態と同様である。また、そのような配線層１４を挟むように、層間絶縁膜１７Ａ，１７Ｃが形成されている。層間絶縁膜１７Ａ，１７Ｃは、上記第１の実施の形態の層間絶縁膜１３，１５と同様、例えば信号電荷が配線層１４を伝って逃げることを抑制する機能を有すると共に、配線層１４への電圧印加によって半導体層１０自体の電圧変動を抑制する機能を有している。これらの層間絶縁膜１７Ａ，１７Ｃは、上記層間絶縁膜１３，１５と同様の材料により構成されている。
【００６９】
［作用・効果］
本実施の形態の固体撮像素子においても、画素部に入射した光は、画素Ｐ毎にフォトダイオードＰＤ１，ＰＤ２において光電変換される。フォトダイオードＰＤ１，ＰＤ２のそれぞれにおいて発生した電子および正孔のうち一方（例えば電子）が、ｎ型不純物拡散層１２ａ，２２ａのそれぞれに、信号電荷として蓄積される。蓄積された信号電荷は、所定のタイミングでＦＤ２４へ転送される。ＦＤ２４へ転送された信号電荷は、他の画素トランジスタ（増幅トランジスタおよび選択トランジスタ等）を介して、電圧信号として、垂直信号線Ｌsig（図１）に読み出される。
【００７０】
また、本実施の形態においても、上記第１の実施の形態と同様、フォトダイオードＰＤ２がフォトダイオードＰＤ１の電荷転送経路を兼ねており、信号電荷の読み出し動作の際に、フォトダイオードＰＤ１に蓄積された信号電荷は、フォトダイオードＰＤ２を通じてＦＤ２４へ転送される。
【００７１】
図３０は、信号電荷の読み出し動作を説明するための模式図である。本実施の形態では、フォトダイオードＰＤ１からフォトダイオードＰＤ２への電荷転送は、上記のようなｐ型不純物拡散層１２ｂを含むトランジスタ構造を利用して行われ、フォトダイオードＰＤ２からＦＤ２４への電荷転送は、縦型トランジスタ２３を用いて行われる。尚、深さ方向におけるポテンシャルエネルギーについては、上記第１の実施の形態と同様であり、通常時（信号読み出し時以外）には、ｐ型不純物拡散層１２ａが、縦型トランジスタ１６と同様のポテンシャル障壁ｈ１を形成する。
【００７２】
具体的には、フォトダイオードＰＤ１に蓄積された信号電荷ｅの読み出し動作の際には、電圧供給源１４０から配線層１４に対し、所定のオン電位が印加されることにより、ｐ型不純物拡散層１２ｂにチャネルが形成され、その周囲に電荷転送パスＲ３が形成される（ｐ型不純物拡散層１２ｂによるポテンシャル障壁がなくなる）。これにより、フォトダイオードＰＤ１（ｎ型不純物拡散層１２ａ）に蓄積されていた信号電荷ｅが、フォトダイオードＰＤ２（ｎ型不純物拡散層２２ａ）へ転送される。一方、上記第１の実施の形態と同様、縦型トランジスタ２３をオン状態とすることで、フォトダイオードＰＤ２とＦＤ２４との間に電荷転送パスＲ２が形成される。従って、本実施の形態においても、フォトダイオードＰＤ１に蓄積された信号電荷が、フォトダイオードＰＤ２を経由して、ＦＤ２４へ転送される。
【００７３】
上記のように、本実施の形態においても、半導体層１０内に積層された複数のフォトダイオード（ＰＤ１，ＰＤ２）のうちの少なくとも１つ（フォトダイオードＰＤ２）が、他のフォトダイオード（フォトダイオードＰＤ１）の信号電荷の転送経路を兼ねる。したがって、上記第１の実施の形態と同等の効果を得ることができる。また、本実施の形態では、フォトダイオードＰＤ１，ＰＤ２間の電荷転送において、上記第１の実施の形態よりもゲート幅が大きくなる。上記第１の実施の形態では、縦型トランジスタ１６が縦長の柱形状を有するため、そのゲート幅は比較的小さい。例えば、縦型トランジスタ１６のゲート幅は、図３Ａ〜図３Ｃに示した断面形状における全周の長さに相当する。本実施の形態では、図２９Ａ〜図２９Ｃに示した断面形状におけるフォトダイオードＰＤ１，ＰＤ２（ｐ型不純物拡散層１２ｂ）の全周の長さがゲート幅に相当する。このため、上記縦型トランジスタ１６よりもゲート幅が比較的大きい。よって、本実施の形態では、上記第１の実施の形態に比べ、ゲート幅を大きく設計し易いことから、フォトダイオードＰＤ１，ＰＤ２間の電荷転送に有利となる。
【００７４】
＜第３の実施の形態＞
［構成］
図３１は、本開示の第３の実施の形態に係る固体撮像素子の画素部の要部構成と、電荷転送の様子とを表す断面模式図である。尚、本実施の形態の固体撮像素子では、画素部以外の回路部１３０等の構成については、上記第１の実施の形態と同様である。
【００７５】
本実施の形態においても、半導体層（または半導体基板）１０内に、複数のフォトダイオード（フォトダイオードＰＤ１，ＰＤ２）が厚み方向に沿って積層されている。また、半導体層１０の回路形成面Ｓ１には、縦型トランジスタ２３と、ＦＤ２４とが形成されている。更に、本実施の形態においても、フォトダイオードＰＤ２が、フォトダイオードＰＤ１の信号電荷の電荷転送経路を兼ねており、フォトダイオードＰＤ２１に蓄積された信号電荷が、フォトダイオードＰＤ２を通って、ＦＤ２４へ転送されるようになっている。
【００７６】
但し、本実施の形態では、上記第１の実施の形態と異なり、縦型トランジスタ１６および配線層１４が設けられていない。フォトダイオードＰＤ１，ＰＤ２間の層構造と他の電圧供給構造により電荷転送を実現する。
【００７７】
具体的には、半導体層１０内において、フォトダイオードＰＤ１（詳細にはｎ型不純物半導体層１２ａ）と、フォトダイオードＰＤ２（詳細にはｎ型不純物拡散層２２ａ）とが、ｐ型不純物拡散層１２ｂ（分離層）を隔てて形成されている。本実施の形態においても、このｐ型不純物拡散層１２ｂが、フォトダイオードＰＤ１，ＰＤ２間のポテンシャル障壁を形成している。また、第１半導体層１１と第２半導体層２１とは、電気的に絶縁された状態（個々に電圧制御が可能な状態）で積層されている。例えば、第１半導体層１１と第２半導体層２１との間に、層間絶縁膜１８が形成され、第１半導体層１１および第２半導体層２１のそれぞれが、電圧供給源１４０に接続されている。これにより、本実施の形態では、フォトダイオードＰＤ１とフォトダイオードＰＤ２とが、ｐ型不純物拡散層１２ｂのみによって繋がった状態で積層されている。
【００７８】
層間絶縁膜１８は、ｐ型不純物拡散層１２ｂを囲むように形成されており、上記第１の実施の形態の層間絶縁膜１３，１５と同様の材料により構成されている。
【００７９】
［作用・効果］
本実施の形態の固体撮像素子においても、画素部に入射した光は、画素Ｐ毎にフォトダイオードＰＤ１，ＰＤ２において光電変換される。フォトダイオードＰＤ１，ＰＤ２のそれぞれにおいて発生した電子および正孔のうち一方（例えば電子）が、ｎ型不純物拡散層１２ａ，２２ａのそれぞれに、信号電荷として蓄積される。蓄積された信号電荷は、所定のタイミングでＦＤ２４へ転送される。ＦＤ２４へ転送された信号電荷は、他の画素トランジスタ（増幅トランジスタおよび選択トランジスタ等）を介して、電圧信号として、垂直信号線Ｌsig（図１）に読み出される。
【００８０】
また、上記第１の実施の形態と同様、フォトダイオードＰＤ２がフォトダイオードＰＤ１の電荷転送経路を兼ねており、信号電荷の読み出し動作の際に、フォトダイオードＰＤ１に蓄積された信号電荷は、フォトダイオードＰＤ２を通じてＦＤ２４へ転送される。また、フォトダイオードＰＤ２に蓄積された信号電荷は、所定のタイミングでＦＤ２４へ転送される。
【００８１】
但し、本実施の形態では、フォトダイオードＰＤ１からフォトダイオードＰＤ２への電荷転送が、第１半導体層１１および第２半導体層２１の電圧制御によって行われ、フォトダイオードＰＤ２からＦＤ２４への電荷転送は、縦型トランジスタ２３を用いて行われる。
【００８２】
図３２に、本実施の形態の深さ方向におけるポテンシャルエネルギーについて示す。このように本実施の形態では、フォトダイオードＰＤ１に蓄積された信号電荷ｅの読み出し動作の際には、第１半導体層１１と第２半導体層２１とをそれぞれ電圧制御することにより、フォトダイオードＰＤ１のポテンシャルを浅くする（Ｔ１→Ｔ２）。これにより、フォトダイオードＰＤ１，ＰＤ２間に電荷転送パスＲ４が形成される（ポテンシャル障壁がなくなる）。この結果、フォトダイオードＰＤ１（ｎ型不純物拡散層１２ａ）に蓄積されていた信号電荷ｅが、フォトダイオードＰＤ２（ｎ型不純物拡散層２２ａ）へ転送される。一方、上記第１の実施の形態等と同様、縦型トランジスタ２３をオン状態とすることで、フォトダイオードＰＤ２からＦＤ２４へ電荷が転送される。従って、本実施の形態においても、フォトダイオードＰＤ１に蓄積された信号電荷が、フォトダイオードＰＤ２を経由して、ＦＤ２４へ転送される。
【００８３】
上記のように、本実施の形態においても、半導体層１０内に積層された複数のフォトダイオード（ＰＤ１，ＰＤ２）のうちの少なくとも１つ（フォトダイオードＰＤ２）が、他のフォトダイオード（フォトダイオードＰＤ１）の信号電荷の転送経路を兼ねる。したがって、上記第１の実施の形態と同等の効果を得ることができる。また、本実施の形態では、配線層１４が不要であることから、コストを削減することができる。
【００８４】
＜第４の実施の形態＞
［構成］
図３３は、本開示の第４の実施の形態に係る固体撮像素子の画素部（１画素分のみ示す）の要部構成を表したものである。本実施の形態では、ダイナミックレンジ拡大の機能を有する素子構造とその駆動方法（信号読み出し動作）について説明する。尚、上記第１〜第３の実施の形態の固体撮像素子のうち、第１の実施の形態の画素構造を例に挙げて説明を行うが、本実施の形態および以下の第５および第６の実施の形態等は、上記第２，第３の実施の形態の固体撮像素子の画素構造にも同様に適用可能である。
【００８５】
本実施の形態では、例えば半導体層１０内に、光入射面Ｓ２の側から順に、３つのフォトダイオードＰＤ１，ＰＤ２，ＰＤ３が積層され、半導体層１０の回路形成面Ｓ１には、縦型トランジスタ２３と、ＦＤ２４とが形成されている。半導体層１０の光入射面Ｓ２には、カラーフィルタ３２とオンチップレンズ３１が設けられ、１つの画素Ｐでは、フォトダイオードＰＤ１，ＰＤ２，ＰＤ３のいずれにおいても同一の波長に基づく信号電荷が得られるようになっている。フォトダイオードＰＤ１，ＰＤ２間には配線層１４Ａが、フォトダイオードＰＤ２，ＰＤ３間には配線層１４Ｂがそれぞれ設けられている。配線層１４Ａ，１４Ｂをそれぞれ挟むように、層間絶縁膜１３，１５が形成されている。
【００８６】
また、フォトダイオードＰＤ１，ＰＤ２の各一部に近接して、縦型トランジスタ１６Ａが設けられ、フォトダイオードＰＤ２，ＰＤ３の各一部に近接して、縦型トランジスタ１６Ｂが設けられている。縦型トランジスタ１６Ａ，１６Ｂは、上記第１の実施の形態の縦型トランジスタ１６と同様の材料、厚み等により構成され、半導体層１０内に埋設されている。フォトダイオードＰＤ１に蓄積された信号電荷の転送時には、縦型トランジスタ１６Ａ（ゲート）の側面近傍にチャネルが形成され、フォトダイオードＰＤ１がソース、フォトダイオードＰＤ２がドレインとなる。フォトダイオードＰＤ２に蓄積された信号電荷の転送時には、縦型トランジスタ１６Ｂ（ゲート）の側面近傍にチャネルが形成され、フォトダイオードＰＤ２がソース、フォトダイオードＰＤ３がドレインとなる。
【００８７】
配線層１４Ａは、縦型トランジスタ１６Ａに電気的に接続され、縦型トランジスタ１６Ａに電圧を供給するためのものである。配線層１４Ｂは、縦型トランジスタ１６Ｂに電気的に接続され、縦型トランジスタ１６Ｂに電圧を供給するためのものである。これらの配線層１４Ａ，１４Ｂはいずれも、上記第１の実施の形態の配線層１４と同様の材料、平面レイアウト等により構成されている。
【００８８】
本実施の形態においても、少なくとも１つのフォトダイオードが他のフォトダイオードの電荷転送経路を兼ねている。具体的には、フォトダイオードＰＤ２，ＰＤ３は、フォトダイオードＰＤ１の信号電荷の電荷転送経路を、フォトダイオードＰＤ３は、フォトダイオードＰＤ２の信号電荷の電荷転送経路を、それぞれ兼ねている。
【００８９】
［作用、効果］
本実施の形態の固体撮像素子では、画素部に光が入射すると、画素Ｐ毎に、カラーフィルタ３２を透過した光（同一波長の光）が、フォトダイオードＰＤ１，ＰＤ２，ＰＤ３において光電変換される。フォトダイオードＰＤ１，ＰＤ２，ＰＤ３のそれぞれにおいて、信号電荷（例えば電子）が、発生し、蓄積される。蓄積された信号電荷は、所定のタイミングでＦＤ２４へ転送される。ＦＤ２４へ転送された信号電荷は、他の画素トランジスタ（増幅トランジスタおよび選択トランジスタ等）を介して、電圧信号として、垂直信号線Ｌsig（図１）に読み出される。
【００９０】
本実施の形態では、フォトダイオードＰＤ２，ＰＤ３がフォトダイオードＰＤ１の電荷転送経路を兼ね、フォトダイオードＰＤ３がフォトダイオードＰＤ２の電荷転送経路を兼ねる。このため、信号電荷の読み出し動作の際には、フォトダイオードＰＤ１に蓄積された信号電荷は、フォトダイオードＰＤ２，ＰＤ３を通ってＦＤ２４へ転送され、フォトダイオードＰＤ２に蓄積された信号電荷は、フォトダイオードＰＤ３を通ってＦＤ２４へ転送される。フォトダイオードＰＤ３に蓄積された信号電荷は、縦型トランジスタ２３によりＦＤ２４へ転送される。
【００９１】
図３４は、本実施の形態の信号電荷ｅの読み出し動作を説明するための模式図である。図３５は、深さ方向におけるポテンシャルエネルギーを表したものである。図３６は、縦型トランジスタ１６Ａに印加される電圧（ゲート電圧）Ｖ１と、縦型トランジスタ１６Ｂに印加される電圧（ゲート電圧）Ｖ２と、縦型トランジスタ２３に印加される電圧（ゲート電圧）Ｖ３とのパルス波形の一例を表したものである。
【００９２】
本実施の形態では、フォトダイオードＰＤ１，ＰＤ２間の電荷転送、フォトダイオードＰＤ２，ＰＤ３間の電荷転送、およびフォトダイオードＰＤ３とＦＤ２４との間の電荷転送とが、同時に（一括して）行われる。具体的には、縦型トランジスタ１６Ａ，１６Ｂ，２３には、互いに同じタイミングでオン電位が印加される（図３６）。これにより、各フォトダイオード間に電荷転送パスＲ５，Ｒ６，Ｒ７が形成される（ポテンシャル障壁ｈ１，ｈ２，ｈ３がなくなる）。この結果、各フォトダイオードＰＤ１，ＰＤ２，ＰＤ３の信号電荷が、上述の各電荷転送経路を経て、ＦＤ２４へ一括転送される。
【００９３】
上記のように、半導体層１０内に、同一波長の光電変換を行う複数（ここでは３つ）のフォトダイオードＰＤ１，ＰＤ２，ＰＤ３を積層し、それぞれに蓄積された信号電荷を、縦型トランジスタ１６Ａ，１６Ｂ，２３を用いてＦＤ２４へ一括転送する。これにより、１つの画素Ｐにおいて３つのフォトダイオードＰＤ１，ＰＤ２，ＰＤ３に信号電荷を蓄積できると共に、これらを一括して読み出すことができる。この結果、例えばフォトダイオードを積層しない場合に比べて、数倍程度のダイナミックレンジが得られる。従って、例えばダイナミックレンジ拡大の機能を実現可能となる。
【００９４】
＜第５の実施の形態＞
［構成］
図３７は、本開示の第５の実施の形態に係る固体撮像素子の画素部（１画素分のみ示す）の要部構成を表したものである。本実施の形態では、グローバルシャッタ機能を有する素子構造とその駆動方法（信号読み出し動作，グローバルシャッタ駆動動作）について説明する。
【００９５】
本実施の形態では、例えば半導体層１０内に、光入射面Ｓ２の側から順に、２つのフォトダイオードＰＤ１，ＰＤ２が積層されると共に、フォトダイオードＰＤ２の更に回路形成面Ｓ１側に１つのメモリーＭＥＭが形成されている。メモリーＭＥＭは、フォトダイオードＰＤ１，ＰＤ２と同様の構造（例えばｎ型不純物拡散層１２ａとｐ型不純物拡散層１２ｂとの積層構造）を有するが、機能（用途）が異なる。メモリーＭＥＭでは、光電変換は行われず、電荷の蓄積（保持）のみが行われる。このように、本実施の形態では、半導体層１０内に積層された３つのフォトダイオードのうちの最も回路形成面Ｓ１に近い（ＦＤ２４に近い）フォトダイオードが、メモリーとして用いられている。メモリーＭＥＭとフォトダイオードＰＤ２との間には、メモリーＭＥＭに光が入射しないように、遮光膜１９が形成されている。尚、本実施の形態におけるメモリーＭＥＭが、本開示における「第３のフォトダイオード」の一具体例に相当する。
【００９６】
半導体層１０の回路形成面Ｓ１には、縦型トランジスタ２３と、ＦＤ２４とが形成されている。半導体層１０の光入射面Ｓ２には、カラーフィルタ３２とオンチップレンズ３１が設けられ、１つの画素Ｐでは、フォトダイオードＰＤ１，ＰＤ２のいずれにおいても同一の波長に基づく信号電荷が得られるようになっている。フォトダイオードＰＤ１，ＰＤ２間には配線層１４Ａが、フォトダイオードＰＤ２とメモリーＭＥＭとの間には配線層１４Ｂがそれぞれ設けられている。配線層１４Ａ，１４Ｂをそれぞれ挟むように、層間絶縁膜１３，１５が形成されている。
【００９７】
また、フォトダイオードＰＤ１，ＰＤ２の各一部に近接して、縦型トランジスタ１６Ａが設けられ、フォトダイオードＰＤ２とメモリーＭＥＭの各一部に近接して、縦型トランジスタ１６Ｂが設けられている。フォトダイオードＰＤ１に蓄積された信号電荷の転送時には、縦型トランジスタ１６Ａ（ゲート）の側面近傍にチャネルが形成され、フォトダイオードＰＤ１がソース、フォトダイオードＰＤ２がドレインとなる。フォトダイオードＰＤ２に蓄積された信号電荷の転送時には、縦型トランジスタ１６Ｂ（ゲート）の側面近傍にチャネルが形成され、フォトダイオードＰＤ２がソース、メモリーＭＥＭがドレインとなる。
【００９８】
本実施の形態においても、少なくとも１つのフォトダイオードが他のフォトダイオードの電荷転送経路を兼ねている。具体的には、フォトダイオードＰＤ２，メモリーＭＥＭは、フォトダイオードＰＤ１の信号電荷の電荷転送経路を、メモリーＭＥＭは、フォトダイオードＰＤ２の信号電荷の電荷転送経路を、それぞれ兼ねている。
【００９９】
［作用、効果］
本実施の形態の固体撮像素子では、画素部に光が入射すると、画素Ｐ毎に、カラーフィルタ３２を透過した光（同一波長の光）が、フォトダイオードＰＤ１，ＰＤ２において光電変換される。フォトダイオードＰＤ１，ＰＤ２のそれぞれにおいて、信号電荷（例えば電子）が、発生し、蓄積される。蓄積された信号電荷は、所定のタイミングでＦＤ２４へ転送される。ＦＤ２４へ転送された信号電荷は、他の画素トランジスタ（増幅トランジスタおよび選択トランジスタ等）を介して、電圧信号として、垂直信号線Ｌsig（図１）に読み出される。
【０１００】
図３７には、信号電荷ｅとその転送経路についても模式的に示す。図３８は、深さ方向におけるポテンシャルエネルギーを表したものである。図３９は、縦型トランジスタ１６Ａに印加される電圧（ゲート電圧）Ｖ１と、縦型トランジスタ１６Ｂに印加される電圧（ゲート電圧）Ｖ２と、縦型トランジスタ２３に印加される電圧（ゲート電圧）Ｖ３とのパルス波形の一例を表したものである。
【０１０１】
本実施の形態では、まず、フォトダイオードＰＤ２からメモリーＭＥＭへの電荷転送がなされる。続いて、フォトダイオードＰＤ１から、フォトダイオードＰＤ２を通って、メモリーＭＥＭへの電荷転送がなされる。その後、所定の期間経過後に、メモリーＭＥＭとＦＤ２４との間の電荷転送がなされる。
【０１０２】
具体的には、まず、縦型トランジスタ１６Ｂに、オン電位が印加されることで、フォトダイオードＰＤ２とメモリーＭＥＭとの間に電荷転送パスＲ９が形成される（ポテンシャル障壁ｈ２がなくなる）。これにより、フォトダイオードＰＤ２において、光電変換され、蓄積された信号電荷が、メモリーＭＥＭへ転送される。続いて、縦型トランジスタ１６Ａ，１６Ｂの両方に、同時にオン電位が印加されることで、フォトダイオードＰＤ１，ＰＤ２間、およびフォトダイオードＰＤ２とメモリーＭＥＭとの間に、電荷転送パスＲ８，Ｒ９が形成される（ポテンシャル障壁ｈ１，ｈ２がなくなる）。これにより、フォトダイオードＰＤ１において、光電変換され、蓄積された信号電荷が、フォトダイオードＰＤ２を通ってメモリーＭＥＭへ転送される。最後に、電荷保持期間ｔｍの経過後、縦型トランジスタ２３に、オン電位が印加されることで、メモリーＭＥＭとＦＤ２４との間に電荷転送パスＲ１０が形成される（ポテンシャル障壁ｈ３がなくなる）。これにより、メモリーＭＥＭに保持されていた信号電荷が、ＦＤ２４へ転送される。
【０１０３】
上記のように、本実施の形態では、半導体層１０内に、フォトダイオードＰＤ１，ＰＤ２を積層すると共に、回路形成面Ｓ１側にメモリーＭＥＭを設ける。信号電荷の読み出し時には、フォトダイオードＰＤ１，ＰＤ２に蓄積された信号電荷を、縦型トランジスタ１６Ａ，１６Ｂを用いて、メモリーＭＥＭへ転送して一時的に保持させた後、所定のタイミングでメモリーＭＥＭからＦＤ２４へ一括転送する。このような信号読み出し動作が、画素部内の全ての画素Ｐにおいて行われることで、グローバルシャッタ機能を実現可能となる。尚、本実施の形態では、１つのメモリーＭＥＭと、２つのフォトダイオードＰＤ１，ＰＤ２とが積層された構成を例示したが、必ずしも２つのフォトダイオードＰＤ１，ＰＤ２が形成される必要はなく、フォトダイオードは１つであってもよい。
【０１０４】
＜第６の実施の形態＞
［構成］
図４０は、本開示の第６の実施の形態に係る固体撮像素子の画素部（１画素分のみ示す）の要部構成を表したものである。本実施の形態では、いわゆる縦分光型の画素構造とその駆動方法について説明する。
【０１０５】
本実施の形態では、例えば半導体層１０内に、光入射面Ｓ２の側から順に、３つのフォトダイオードＰＤ１，ＰＤ２，ＰＤ３が積層され、半導体層１０の回路形成面Ｓ１には、縦型トランジスタ２３と、ＦＤ２４とが形成されている。半導体層１０の光入射面Ｓ２には、オンチップレンズ３１が設けられるが、カラーフィルタは設けられていない。１つの画素Ｐにおいて、フォトダイオードＰＤ１は、例えば青色光に対応する信号を得るためのものであり、フォトダイオードＰＤ２は、例えば緑色光に対応する信号を得るためのものであり、フォトダイオードＰＤ３は、例えば赤色光に対応する信号を得るためのものである。光入射面Ｓ２から距離が大きくなるに従って（半導体層１０のより深い位置ほど）、より長波長を吸収し易くなることから、フォトダイオードＰＤ１が青色光用、フォトダイオードＰＤ２が緑色光用、フォトダイオードＰＤ３が赤色光用となっている。以下では、簡便化のため、フォトダイオードＰＤ１では青色光が、フォトダイオードＰＤ２では緑色光が、フォトダイオードＰＤ３では赤色光が、それぞれ選択的に吸収され、光電変換されるものとして説明を行う。但し実際には、フォトダイオードＰＤ１では、青色光だけでなく、緑色光および赤色光も吸収され、フォトダイオードＰＤ２では、緑色光だけでなく赤色光も吸収される。フォトダイオードＰＤ３では、主に赤色光が吸収される。従って、フォトダイオードＰＤ１，ＰＤ２，ＰＤ３のそれぞれから色光毎の信号を得るためには、所定の信号処理が行われることが望ましい。
【０１０６】
また、フォトダイオードＰＤ１，ＰＤ２間には配線層１４Ａが、フォトダイオードＰＤ２，ＰＤ３間には配線層１４Ｂがそれぞれ設けられている。配線層１４Ａ，１４Ｂをそれぞれ挟むように、層間絶縁膜１３，１５が形成されている。フォトダイオードＰＤ１，ＰＤ２の各一部に近接して、縦型トランジスタ１６Ａが設けられ、フォトダイオードＰＤ２，ＰＤ３の各一部に近接して、縦型トランジスタ１６Ｂが設けられている。フォトダイオードＰＤ１に蓄積された信号電荷の転送時には、縦型トランジスタ１６Ａ（ゲート）の側面近傍にチャネルが形成され、フォトダイオードＰＤ１がソース、フォトダイオードＰＤ２がドレインとなる。フォトダイオードＰＤ２に蓄積された信号電荷の転送時には、縦型トランジスタ１６Ｂ（ゲート）の側面近傍にチャネルが形成され、フォトダイオードＰＤ２がソース、フォトダイオードＰＤ３がドレインとなる。
【０１０７】
本実施の形態においても、少なくとも１つのフォトダイオードが他のフォトダイオードの電荷転送経路を兼ねている。具体的には、フォトダイオードＰＤ２，ＰＤ３は、フォトダイオードＰＤ１の信号電荷の電荷転送経路を、フォトダイオードＰＤ３は、フォトダイオードＰＤ２の信号電荷の電荷転送経路を、それぞれ兼ねている。
【０１０８】
［作用、効果］
本実施の形態の固体撮像素子では、画素部に光が入射すると、画素Ｐ毎に、フォトダイオードＰＤ１，ＰＤ２，ＰＤ３のそれぞれにおいて、選択的な波長が吸収され、光電変換される。具体的には、フォトダイオードＰＤ１では、主に青色光ＬＢに吸収されることで、青色光ＬＢに基づく信号電荷ｅ１が、発生し、蓄積される。フォトダイオードＰＤ２では、主に緑色光ＬＧが吸収されることで、緑色光ＬＧに基づく信号電荷ｅ２が、発生し、蓄積される。フォトダイオードＰＤ３では、主に赤色光ＬＲが吸収されることで、赤色光ＬＲに基づく信号電荷ｅ３が、発生し、蓄積される。蓄積された各色の信号電荷ｅ１，ｅ２，ｅ３は、所定のタイミングでＦＤ２４へ転送される。ＦＤ２４へ転送された信号電荷ｅ１，ｅ２，ｅ３は、他の画素トランジスタ（増幅トランジスタおよび選択トランジスタ等）を介して、電圧信号として、垂直信号線Ｌsig（図１）に読み出される。
【０１０９】
図４０には、信号電荷ｅ１，ｅ２，ｅ３とその転送経路についても模式的に示す。図４１は、深さ方向におけるポテンシャルエネルギーを表したものである。図４２は、縦型トランジスタ１６Ａに印加される電圧（ゲート電圧）Ｖ１と、縦型トランジスタ１６Ｂに印加される電圧（ゲート電圧）Ｖ２と、縦型トランジスタ２３に印加される電圧（ゲート電圧）Ｖ３とのパルス波形の一例を表したものである。
【０１１０】
本実施の形態では、まず、フォトダイオードＰＤ３に蓄積された信号電荷ｅ３が、ＦＤ２４へ転送される。続いて、フォトダイオードＰＤ２に蓄積された信号電荷ｅ２が、フォトダイオードＰＤ３を通って、ＦＤ２４へ転送される。その後、フォトダイオードＰＤ１に蓄積された信号電荷ｅ１が、フォトダイオードＰＤ２，ＰＤ３を通って、ＦＤ２４へ転送される。
【０１１１】
詳細には、まず、縦型トランジスタ２３に、オン電位が印加されることで、フォトダイオードＰＤ３とＦＤ２４との間に電荷転送パスＲ１３が形成される（ポテンシャル障壁ｈ３がなくなる）。これにより、フォトダイオードＰＤ３において、光電変換され、蓄積された信号電荷ｅ３が、ＦＤ２４へ転送される。続いて、縦型トランジスタ１６Ｂ，２３の両方に、同時にオン電位が印加されることで、フォトダイオードＰＤ２，ＰＤ３間、およびフォトダイオードＰＤ３とＦＤ２４との間に、電荷転送パスＲ１２，Ｒ１３が形成される（ポテンシャル障壁ｈ２，ｈ３がなくなる）。これにより、フォトダイオードＰＤ２において、光電変換され、蓄積された信号電荷ｅ２が、フォトダイオードＰＤ３を通って、ＦＤ２４へ転送される。最後に、縦型トランジスタ１６Ａ，１６Ｂ，２３の全てに、オン電位が印加されることで、フォトダイオードＰＤ１，ＰＤ２間、フォトダイオードＰＤ２，ＰＤ３間およびフォトダイオードＰＤ３とＦＤ２４との間に、電荷転送パスＲ１１〜Ｒ１３が形成される（ポテンシャル障壁ｈ１〜ｈ３がなくなる）。これにより、フォトダイオードＰＤ１において、光電変換され、蓄積された信号電荷ｅ１が、フォトダイオードＰＤ２，ＰＤ３を通って、ＦＤ２４へ転送される。
【０１１２】
上記のように、本実施の形態では、半導体層１０内に積層されたフォトダイオードＰＤ１，ＰＤ２，ＰＤ３において、回路形成面Ｓ１に近い側から順に信号電荷を読み出す（即ち、信号電荷ｅ３，ｅ２，ｅ１の順に読み出す。そして、それぞれの信号電荷ｅ１，ｅ２，ｅ３の読み出しの際には、回路形成面Ｓ１に向かって、他のフォトダイオードを経由して電荷転送を行い、回路形成面Ｓ１に最も近い領域に形成されたフォトダイオード（ＰＤ３）を通じて信号電荷を読み出す。これにより、１つの画素ＰからＲ，Ｇ，Ｂの波長毎の信号電荷が得られ、縦分光型の、即ちカラーフィルタレスの素子構造を実現することができる。
【０１１３】
＜変形例２＞
図４３は、上記第６の実施の形態の変形例（変形例２）に係る固体撮像素子の画素部（１画素分のみ示す）の要部構成を表したものである。上記第６の実施の形態では、縦分光型の素子構造において、Ｒ，Ｇ，Ｂの３色の光に基づく信号読み出しを行う場合について説明したが、本変形例のように、更に赤外光（ＩＲ）に基づく信号電荷を読み出すようにしてもよい。この場合も、上記第６の実施の形態と同様、半導体層１０の光入射面Ｓ２には、カラーフィルタが不要である。半導体層１０内には、上記３つのフォトダイオードＰＤ１〜ＰＤ３に加え、最も長波長となる赤外光用のフォトダイオードＰＤ４が、最も回路形成面Ｓ１よりの領域に形成される。
【０１１４】
また、フォトダイオードＰＤ３，ＰＤ４間には、上記配線層１４Ａ，１４Ｂと同様の材料等よりなる配線層１４Ｃが設けられ、この配線層１４Ｃを挟むように、層間絶縁膜１３，１５が形成されている。フォトダイオードＰＤ３，ＰＤ４の各一部に近接して、上記縦型トランジスタ１６Ａ，１６Ｂと同様の材料等よりなる縦型トランジスタ１６Ｃが設けられている。
【０１１５】
信号電荷の読み出し動作の際には、まず、フォトダイオードＰＤ４に蓄積された信号電荷ｅ４が、ＦＤ２４へ転送される。続いて、フォトダイオードＰＤ３に蓄積された信号電荷ｅ３が、フォトダイオードＰＤ４を通って、ＦＤ２４へ転送される。続いて、フォトダイオードＰＤ２に蓄積された信号電荷ｅ２が、フォトダイオードＰＤ３，ＰＤ４を通って、ＦＤ２４へ転送される。その後、フォトダイオードＰＤ１に蓄積された信号電荷ｅ１が、フォトダイオードＰＤ２，ＰＤ３，ＰＤ４を通って、ＦＤ２４へ転送される。
【０１１６】
上記のように、本変形例においても、半導体層１０内に積層されたフォトダイオードＰＤ１〜ＰＤ４において、回路形成面Ｓ１に近い側から順に信号電荷を読み出す（即ち、信号電荷ｅ４，ｅ３，ｅ２，ｅ１の順に読み出す。そして、それぞれの信号電荷ｅ１〜ｅ４の読み出しの際には、回路形成面Ｓ１に向かって、他のフォトダイオードを経由して電荷転送を行い、回路形成面Ｓ１に最も近い領域に形成されたフォトダイオード（ＰＤ４）を通じて信号電荷を読み出す。これにより、１つの画素Ｐから、Ｒ，Ｇ，Ｂの各波長に基づく信号電荷に加え、ＩＲの信号電荷を得ることができる。
【０１１７】
ここで一般に、赤外光に基づく信号電荷を得るためには、光入射面Ｓ２から離れた領域にフォトダイオードＰＤ４が形成されることが望ましい。このため、Ｒ，Ｇ，Ｂ用のフォトダイオードＰＤ１〜ＰＤ３に加え、ＩＲ用のフォトダイオードＰＤ４を設ける場合、最もＦＤから遠いフォトダイオードＰＤ１から回路形成面Ｓ１まで達するように、より長い縦型トランジスタが必要とされる。ところが、そのような長い縦型トランジスタを形成することは、プロセスや電荷転送の観点において困難である。例えば、裏面照射型の素子構造では、本変形例のような素子構造および駆動方法を採用することで、半導体層１０内のより奥深いところに形成されたフォトダイオード（ここでは青色光用のフォトダイオードＰＤ１）からでも、容易に電荷を読み出し可能となる。
【０１１８】
また、表面照射型の場合にも同様のことがいえる。但し、表面照射型の場合には、最もＦＤから離れた位置に、ＩＲ用のフォトダイオードＰＤ４が形成されることとなる。この場合にも、上記と同様の素子構造および駆動方法を採用することで、フォトダイオードＰＤ４からの信号電荷を容易に読み出し可能となる。
【０１１９】
また、赤外光に基づく信号電荷が得られることで、撮像対象物の奥行き情報を生成することも可能である。更に、監視カメラのように、暗所においても使用できるような高感度撮影の機能を実現することも可能である。
【０１２０】
＜適用例＞
上記実施の形態等の固体撮像素子は、例えばデジタルスチルカメラやビデオカメラ等のカメラシステムや、撮像機能を有する携帯電話など、撮像機能を備えたあらゆるタイプの電子機器に適用することができる。図４４に、その一例として、電子機器３（カメラ）の概略構成を示す。この電子機器３は、例えば静止画または動画を撮影可能なビデオカメラであり、固体撮像素子１と、光学系（光学レンズ）３１０と、シャッタ装置３１１と、固体撮像素子１およびシャッタ装置３１１を駆動する駆動部３１３と、信号処理部３１２とを有する。
【０１２１】
光学系３１０は、被写体からの像光（入射光）を固体撮像素子１の画素部１ａへ導くものである。この光学系３１０は、複数の光学レンズから構成されていてもよい。シャッタ装置３１１は、固体撮像素子１への光照射期間および遮光期間を制御するものである。駆動部３１３は、固体撮像素子１の転送動作およびシャッタ装置３１１のシャッタ動作を制御するものである。信号処理部３１２は、固体撮像素子１から出力された信号に対し、各種の信号処理を行うものである。信号処理後の映像信号Ｄoutは、メモリーなどの記憶媒体に記憶されるか、あるいは、モニタ等に出力される。
【０１２２】
以上、実施の形態および変形例を挙げて説明したが、本開示内容は上記実施の形態等に限定されるものではなく、種々変形が可能である。例えば、上記実施の形態等では、半導体層１０内に、２つ、３つあるいは４つのフォトダイオードを積層した構造を例示したが、半導体層１０内に積層されるフォトダイオードの数はこれに限定されず、５つ以上であってもよい。
【０１２３】
また、上記実施の形態等では、光電変換素子において発生した電子・正孔対のうち、電子を信号電荷として取り出す場合を例に挙げて説明したが、これに限定されず、正孔を信号電荷として取り出すようにしてもよい。また、上記実施の形態等において説明した効果は一例であり、他の効果であってもよいし、更に他の効果を含んでいてもよい。
【０１２４】
尚、本開示は、以下のような構成であってもよい。
（１）
互いに対向する第１面と第２面とを有する半導体層と、
前記半導体層内に積層された複数のフォトダイオードと
を備え、
前記複数のフォトダイオードのうちの少なくとも１つのフォトダイオードが、他のフォトダイオードに蓄積された信号電荷の転送経路を兼ねている
固体撮像素子。
（２）
前記半導体層内に埋設された配線層を更に備えた
上記（１）に記載の固体撮像素子。
（３）
前記複数のフォトダイオードは、前記第１面の側から順に積層された第１のフォトダイオードと第２のフォトダイオードとを含み、
前記半導体層内に埋設され、前記第１のフォトダイオードから前記第２のフォトダイオードへ信号電荷を転送するためのトランジスタを更に備え、
前記トランジスタのゲートが前記配線層に電気的に接続されている
上記（２）に記載の固体撮像素子。
（４）
前記配線層の、前記第１および第２のフォトダイオードのそれぞれに対向する部分には、層間絶縁膜が形成されている
上記（３）に記載の固体撮像素子。
（５）
前記複数のフォトダイオードは、前記第１面の側から順に積層された第１のフォトダイオードと第２のフォトダイオードとを含み、
前記第１のフォトダイオードと前記第２のフォトダイオードとの間においてポテンシャル障壁を形成する分離層を更に備え、
前記配線層は、前記分離層と同層に、かつ前記分離層を絶縁膜を介して囲むように、形成されている
上記（２）に記載の固体撮像素子。
（６）
前記複数のフォトダイオードは、前記第１面の側から順に積層された第１のフォトダイオードと第２のフォトダイオードとを含み、
前記第１のフォトダイオードと前記第２のフォトダイオードとの間においてポテンシャル障壁を形成する分離層を更に備え、
前記半導体層は、
前記第１のフォトダイオードを含む第１の半導体層と、
前記第２のフォトダイオードを含む第２の半導体層とを有し、
前記第１の半導体層と前記第２の半導体層とは互いに電気的に絶縁されて積層されている
上記（１）に記載の固体撮像素子。
（７）
前記複数のフォトダイオードは、３つ以上のフォトダイオードを含む
上記（１）〜（６）のいずれかに記載の固体撮像素子。
（８）
前記半導体層の前記第１面の上にカラーフィルタを備え、
前記複数のフォトダイオードはそれぞれ、互いに同一の波長を光電変換するものである
上記（１）〜（７）のいずれかに記載の固体撮像素子。
（９）
前記複数のフォトダイオードのうちの前記第２面に最も近い領域に設けられた第３のフォトダイオードへの入射光を遮断する遮光膜を更に備えた
上記（１）〜（８）のいずれかに記載の固体撮像素子。
（１０）
前記複数のフォトダイオードは、
前記第１面の側から順に、青色光に対応する信号電荷を得るためのフォトダイオードと、緑色光に対応する信号電荷を得るためのフォトダイオードと、赤色光に対応する信号電荷を得るためのフォトダイオードとを含む
上記（１）〜（９）のいずれかに記載の固体撮像素子。
（１１）
前記複数のフォトダイオードは、前記赤色光に対応する信号電荷を得るためのフォトダイオードよりも前記第２面側に、赤外光を光電変換するフォトダイオードを更に含む
上記（１０）に記載の固体撮像素子。
（１２）
互いに対向する第１面および第２面を有する半導体層内に積層された複数のフォトダイオードにおいて、少なくとも１つのフォトダイオードを経由して、他のフォトダイオードの信号電荷を転送し、
前記複数のフォトダイオードのうち、前記半導体層の前記第２面に最も近い領域に形成されたフォトダイオードを介して信号電荷を読み出す
固体撮像素子の駆動方法。
（１３）
前記複数のフォトダイオードは、前記半導体層の前記第１面の側から順に積層された第１のフォトダイオードと第２のフォトダイオードとを含み、
前記半導体層内に埋設されたトランジスタを電圧制御することにより、前記第１のフォトダイオードから前記第２のフォトダイオードへ信号電荷を転送する
上記（１２）に記載の固体撮像素子の駆動方法。
（１４）
前記複数のフォトダイオードは、前記半導体層の前記第１面の側から順に積層された第１のフォトダイオードと第２のフォトダイオードとを含み、
前記第１のフォトダイオードと前記第２のフォトダイオードとの間に、ポテンシャル障壁を形成する分離層と、この分離層を絶縁膜を介して囲む配線層とが設けられ、
前記配線層への電圧印加により、前記第１のフォトダイオードから前記第２のフォトダイオードへ信号電荷を転送する
上記（１２）または（１３）に記載の固体撮像素子の駆動方法。
（１５）
前記複数のフォトダイオードは、前記半導体層の前記第１面の側から順に積層された第１のフォトダイオードと第２のフォトダイオードとを含み、
前記第１のフォトダイオードと前記第２のフォトダイオードとの間に、ポテンシャル障壁を形成する分離層が設けられ、
前記半導体層のうちの前記第１のフォトダイオードを含む第１の半導体層と、前記第２のフォトダイオードを含む第２の半導体層とをそれぞれ個別に電圧制御することにより、前記第１のフォトダイオードから前記第２のフォトダイオードへ信号電荷を転送する
上記（１２）または（１３）に記載の固体撮像素子の駆動方法。
（１６）
前記複数のフォトダイオードはそれぞれ、互いに同一の波長を光電変換するものであり、
各フォトダイオード間の電荷転送と同時に、前記第２面に最も近い領域に形成された第３のフォトダイオードからフローティングディフュージョンへの電荷転送を行う
上記（１２）〜（１５）のいずれかに記載の固体撮像素子の駆動方法。
（１７）
前記回路形成面に最も近い領域に形成された第３のフォトダイオードに、前記複数のフォトダイオードにおいて生じた全ての信号電荷を一時的に保持させ、
前記第３のフォトダイオードに保持された信号電荷をフローティングディフュージョンへ転送する
上記（１２）〜（１６）のいずれかに記載の固体撮像素子の駆動方法。
（１８）
前記複数のフォトダイオードは、前記光入射面からの距離に応じて互いに異なる波長を光電変換するものであり、
前記半導体層の前記第２面に近い側から順次、各フォトダイオードの信号電荷を読み出し、
それぞれのフォトダイオードの信号電荷を読み出す際には、
前記第２面に向かって、他のフォトダイオードを経由して電荷転送を行い、
前記第２面に最も近い領域に形成されたフォトダイオードを通じて信号電荷を読み出す
上記（１２）〜（１６）のいずれかに記載の固体撮像素子の駆動方法。
（１９）
半導体層を形成する工程と、
前記半導体層内に積層された複数のフォトダイオードを形成する工程と
を含み、
前記複数のフォトダイオードのうちの少なくとも１つのフォトダイオードが、他のフォトダイオードに蓄積された信号電荷の転送経路を兼ねている
固体撮像素子の製造方法。
（２０）
前記半導体層を、エピタキシャル成長により段階的に形成する
上記（１９）に記載の固体撮像素子の製造方法。
（２１）
前記半導体層を、貼り合わせにより形成する
上記（１９）に記載の固体撮像素子の製造方法。
（２２）
互いに対向する第１面と第２面とを有する半導体層と、
前記半導体層内に積層された複数のフォトダイオードと
を備え、
前記複数のフォトダイオードのうちの少なくとも１つのフォトダイオードが、他のフォトダイオードに蓄積された信号電荷の転送経路を兼ねている
固体撮像素子を有する電子機器。
【符号の説明】
【０１２５】
１…固体撮像素子、１ａ…画素部、１０…半導体層、１１…第１半導体層、１２ａ，２２ａ…ｎ型不純物拡散層、１２ｂ，２２ｂ…ｐ型不純物拡散層、１３，１５，１７Ａ，１７Ｃ，１８…層間絶縁膜、１４，１４Ａ，１４Ｂ，１４Ｃ…配線層、１６，１６Ａ，１６Ｂ，１６Ｃ，２３…縦型トランジスタ、１７Ｂ…絶縁膜、１９…遮光膜、２１…第２半導体層、２４…ＦＤ、３１…オンチップレンズ、３２…カラーフィルタ、Ｓ１…回路形成面、Ｓ２…光入射面、ＰＤ１〜ＰＤ４…フォトダイオード、ＭＥＭ…メモリー、Ｒ１〜Ｒ１３…電荷転送パス、ｈ１〜ｈ３…ポテンシャル障壁、Ｖ１〜Ｖ３…ゲート電圧。
【図１】
2015146364.tif 000003
【図２】
2015146364.tif 000004
【図３Ａ】
2015146364.tif 000005
【図３Ｂ】
2015146364.tif 000006
【図３Ｃ】
2015146364.tif 000007
【図４】
2015146364.tif 000008
【図５】
2015146364.tif 000009
【図６】
2015146364.tif 000010
【図７】
2015146364.tif 000011
【図８】
2015146364.tif 000012
【図９】
2015146364.tif 000013
【図１０】
2015146364.tif 000014
【図１１】
2015146364.tif 000015
【図１２】
2015146364.tif 000016
【図１３】
2015146364.tif 000017
【図１４】
2015146364.tif 000018
【図１５】
2015146364.tif 000019
【図１６】
2015146364.tif 000020
【図１７】
2015146364.tif 000021
【図１８】
2015146364.tif 000022
【図１９】
2015146364.tif 000023
【図２０】
2015146364.tif 000024
【図２１】
2015146364.tif 000025
【図２２】
2015146364.tif 000026
【図２３】
2015146364.tif 000027
【図２４】
2015146364.tif 000028
【図２５】
2015146364.tif 000029
【図２６】
2015146364.tif 000030
【図２７】
2015146364.tif 000031
【図２８】
2015146364.tif 000032
【図２９Ａ】
2015146364.tif 000033
【図２９Ｂ】
2015146364.tif 000034
【図２９Ｃ】
2015146364.tif 000035
【図３０】
2015146364.tif 000036
【図３１】
2015146364.tif 000037
【図３２】
2015146364.tif 000038
【図３３】
2015146364.tif 000039
【図３４】
2015146364.tif 000040
【図３５】
2015146364.tif 000041
【図３６】
2015146364.tif 000042
【図３７】
2015146364.tif 000043
【図３８】
2015146364.tif 000044
【図３９】
2015146364.tif 000045
【図４０】
2015146364.tif 000046
【図４１】
2015146364.tif 000047
【図４２】
2015146364.tif 000048
【図４３】
2015146364.tif 000049
【図４４】
2015146364.tif 000050